(57)【要約】      （修正有）【課題】硬磁性体を使用した記録媒体を提供する。【解決手段】酸化鉄の微粉末に、単独或いは複数で「元素の短周期型周期表」における「第４族の炭素、珪素、チタン、錫、ハフニウム、鉛」の酸化物の微粉末を適量添加混合して塗料にしてプラスチックテープベースに塗布する。【選択図】なし【特許請求の範囲】
【請求項１】
「１９３０年（昭和５年）加藤与五郎、武井武の開発したＯＰ磁石以来の粉末磁石（万有百科大事典・科学技術、２４０頁Ｂ（磁石鋼））」となる硬磁性材料を塗料にしてＰＥＴなどのプラスチックテープベースに塗布した、ｍａｇｎｅｔｉｚａｂｌｅ  ｔａｐｅと呼ぶことにする永久磁化性テープ、およびｍａｇｎｅｔｉｚａｂｌｅ  ｄｒｕｍと呼ぶことにする永久磁化性ドラム、およびｍａｇｎｅｔｉｚａｂｌｅ  ｄｉｓｋと呼ぶことにする永久磁化性ディスク、などの永久磁化性（硬磁性体）記憶媒体。
【請求項２】
（１）永久磁石となる硬磁性材料は、一般的には、鋼（２％以下の炭素を含有する鉄）に保磁力を増す為にタングステン、コバルト、ニッケル、アルミニューム、クロム、チタン、モリブデンなどから適当な物を適量加えた特殊鋼である。
（２）その特殊鋼を粉末化できれば、私が平成１５年１月２５日に提案している「永久磁石鋼記憶媒体（特２００３−５４９４２）」におけるスチールテープやスチールシートと同じ使用目的の永久磁化性材料塗装テープが開発できる。
（３）その粉末化は、鋼であるから岩石のように粉砕してすることは不可能に近い。一般的には、ベンガラ（Ｆｅ２Ｏ３）の製造のように鉄を酸化して酸化物とすれば自然に粉末化するのでそうして製造したいのであるが、鋼を酸化すると、含まれている炭素がＣＯ２となって飛んで仕舞い炭素を含むが故の所謂鋼ではなくなる。
（４）そこで、炭素を含まない鉄にタングステン、コバルト、ニッケル、アルミニューム、クロム、チタン、モリブデンなどの保磁力材料だけを添加するだけで、硬磁性材料とはならないであろうか。
（５）私は、平成１６年６月７日出願の「電磁波吸収性元素使用電磁波吸収防御製品（特２００４−１９８６６０）」において「元素の短周期型周期表」における第４族のＣ、Ｓｉ、Ｔｉ、Ｇｅ、Ｚｒ、Ｓｎ、Ｈｆ、Ｐｂの各元素が電磁波を吸収することを発見している。そこで、電磁波吸収性元素である「炭素」を含む炭素鋼が硬磁性材料であることからすると、まだ学問的に証明しえたことでは無いが、Ｃの代わりに、Ｓｉ、Ｔｉ、Ｇｅ、Ｚｒ、Ｓｎ、Ｈｆ、Ｐｂを単独で或いは複数組み合せて鉄に含まさせれば、硬磁性材料となりうるように考えられる。
（６）電磁波吸収性元素Ｃ、Ｓｉ、Ｔｉ、Ｇｅ、Ｚｒ、Ｓｎ、Ｈｆ、Ｐｂはそれぞれ吸収する周波数が異なる。Ｃの吸収する周波数が最も低くＰｂの吸収する周波数が最も高い。
（７）保磁力増強材であった、Ｗ、Ｃｏ、Ｎｉ、Ａｌ、Ｃｒ、Ｔｉ、Ｍｏなどの酸化物は皆粉末であるか微粉末にすることが可能である。
（８）また、電磁波吸収性元素の酸化物は、粉末か結晶であり顔料として使用されているので、皆それぞれ微粉末にすることが出来、また、Ｃｏ２ＳｉＯ４も顔料として使用されているので微粉末化できる。
以上を資料として、
酸化鉄の微粉末に、単独で或いは複数かで電磁波吸収性元素である炭素、珪素、チタン、ゲルマニウム、錫、ハフニウム、鉛の酸化物の微粉末を適量添加混合して塗料にしてＰＥＴなどのプラスチックテープベースに塗布した、それぞれ適応周波数領域の異なる、これもｍａｇｎｅｔｉｚａｂｌｅ  ｔａｐｅ略してｍａｇｔａｐｅと呼ぶことにする永久磁化性テープ、およびこれもｍａｇｎｅｔｉｚａｂｌｅ  ｄｒｕｍ略してｍａｇｄｒｕｍと呼ぶことにする永久磁化性ドラム、およびこれもｍａｇｎｅｔｉｚａｂｌｅ  ｄｉｓｋ略してｍａｇｄｉｓｋと呼ぶことにする永久磁化性ディスク、などの永久磁化性（硬磁性体）記憶媒体。
【請求項３】
「請求項１」における「資料」項における「チタンを除く保磁力増強材」の酸化物の微粉末を酸化鉄の微粉末に単独で或いは複数かで酸化鉄の微粉末に適量添加混合して塗料にしてＰＥＴなどのプラスチックテープベースなどに塗布した物は、永久磁化性（硬磁性体）記憶媒体とは成るまいか、なれば、その永久磁化性（硬磁性体）記憶媒体。
【請求項４】
「請求項１」における「炭素を除く電磁波吸収性元素」含有「永久磁化性（硬磁性体）記憶媒体」における塗料に「チタンを除く保磁力増強材」の酸化物微粉末を単独か或いは複数かで添加して塗料にしてＰＥＴなどのプラスチックテープベースなどに塗布した物は、それぞれ適応周波数領域の異なる強力永久磁化性（硬磁性体）記憶媒体とは成るまいか、なれば、その強力永久磁化性（硬磁性体）記憶媒体。
【請求項５】
「請求項１」における「資料」項における「元素の短周期型周期表における第４族のＣ、Ｓｉ、Ｔｉ、Ｇｅ、Ｚｒ、Ｓｎ、Ｈｆ、Ｐｂ」の各電磁波吸収性元素を単独で或いは複数かでＦｅに適量添加混合鋳造して硬（永久）磁性体に造り圧延切断した、それぞれ適応周波数領域の異なる、ｍａｇｎｅｔｉｚａｂｌｅ  ｓｔｅｅｌ  ｔａｐｅ略してｍａｇｓｔｅｅｌｔａｐｅと呼ぶことにする永久磁化性テープ、ｍａｇｎｅｔｉｚａｂｌｅ  ｓｔｅｅｌ  ｓｈｅｅｔ略してｍａｇｓｔｅｅｌｓｈｅｅｔと呼ぶことにする永久磁化性スチールシート、などの永久磁化性（硬磁性体）記憶媒体。
【請求項６】
「請求項５」における「硬（永久）磁性体」にその製造工程において「請求項１」における「資料」項における「Ｔｉを除く保磁力増強材」を添加すれば、それは強力永久磁化性物質となり、それぞれ適応周波数領域の異なる強力永久磁化性テープなどの強力永久磁化性（強力硬磁性体）記憶媒体には製造出来まいか。出来れば、その強力永久磁化性（強力硬磁性体）記憶媒体。
【発明の詳細な説明】
【発明の詳細な説明】
磁気録音とは「鉄やコバルト、ニッケルなどの強磁性体に磁界を作用させると、磁界を取り除いた後でも磁性を帯びていることはよく知られており、残留磁気と呼ばれている。この現象を利用したのが磁気録音である。音声信号電流を磁気エネルギーに変換し、その磁界の中を、たとえば鉄粉を塗布したテープを通過させれば、テープ上には通過した時の磁界の強さに応じた磁気が残る。すなわち、音声の強弱高低は、テープ上の磁性体の磁気量の変化として記録されたことになる」とある（万有百科大事典・科学技術、６６５頁Ａ）。
ところで、強磁性体とは、「磁界の中に置くとその方向に強く磁化し、磁界を取り除いても磁化が残る物質。鉄、コバルト、ニッケル、磁鉄鉱などが代表的（すなわち、ここではその残る時間の長さは問われていない）。鋼は磁化した後、外部磁界を除いても残留磁気が強く残るが、軟鉄の場合は弱い。前者は永久磁石に、後者は電磁石に利用される（現代新百科事典・２、５５３頁（強磁性体））。
永久磁石になる性質の金属材料である磁化率は低いが保磁力の大きい炭素鋼、タングステン鋼、ＫＳ鋼、ＭＫ鋼を「硬磁性体」と言う（現代新百科事典・３、５６６頁（磁石））。
ここで整理して見ると、磁性体には、「弱磁性体」と「強磁性体」とがある。強磁性体とは永久磁石となる物か一時磁石となる物かを問わず磁化されると強い磁石となりうる物を言う。この強磁性体の内、磁界に入れると永久磁石となる物を「硬磁性体」また一時磁石で終わる物を「軟磁性体」と言う（現代新百科事典・３、５６６頁（磁石））。
ところで、このような磁気録音に関する発達経過を見て来ると、ポールセン発明の最初の実用機は録音媒体に確かに鋼を使用していた。しかし、ドイツのプロイマー博士に至って、今日のプラスチックベースに鉄紛を塗布したテープとなり、今日に至っている。
つまり、「硬磁性体」録音媒体から「軟磁性体」録音媒体に転換して仕舞っているのである。
以上記述したことから判るように、磁気録音媒体は、先ず、磁気が極く短時間しか残らない軟鉄粉の「軟磁性体」から磁気が永久に残る鋼の「硬磁性体」に返し、磁気録音を確実なものにすることから研究を初めなくてはならない。
私は、平成１５年１月２５日「永久磁石鋼記憶媒体（特２００３−５４９４２）」を出願している。
私は、その要約書の「課題」に「オーディオやビデオの磁気テープがどうも怪しい。永久磁石となりえないベンガラ（酸化鉄）などの（軟鉄）を用いてテープを造っているが、それで、大丈夫なのであろうか。電子業界や産業技術環境局などはどう見ているのであろうか」と述べ、「解決手段」として、「磁気記憶媒体において、永久磁石鋼（性材料）
（残留磁気と抗磁力を増すためにタングステン、コバルト、ニッケル、アルミニウム、クロム、チタン、モリブデンなどを入れた合金）そのものを熱間圧延および熱間鍛延して出来るだけ薄くして、オーディオあるいはビデオのテープレコーダーのテープとしうるようにした、スチールテープと呼ぶことにする、永久磁石鋼（性）記憶媒体とその記録再生装置」と述べている。
このように、磁気記憶媒体は永久磁石性記憶媒体でなくてはなら無いと考えられるが、これまでに、市販されている磁気テープは何故か軟鉄系記憶媒体であった（現代商品大辞典・新商品版、３２０〜３２３頁（磁気記録媒体））。これでは音声磁気が磁石として半永久的に記憶されることはないので、永久磁石として記憶しうる媒体にすることを考えた次第である。
その時、（永久）磁石鋼材粉末テープは出来まいかと考えたが、上記の磁石鋼の各成分はそれぞれ化合しているのでは無く、混合していると言うので、これを軟鉄のように、酸化してベンガラにして自然現象的に粉にすることは不可能であると考えた。鋼の第一の成分である炭素は酸化するとＣＯ２となって飛んで仕舞い軟鉄化して永久磁化性は無くなるからである。
そこで、炭素は無くても保磁力増強材のタングステンやクロムやニッケルなどを上手に鉄に含ませれば永久磁石材化できるのであれば、酸化鉄や酸化タングステンや酸化クロムや酸化ニッケルや酸化コバルトや酸化チタンや酸化モリブデンなどは通常粉末であるから、これらを上手く糊を加えて混合してＰＥＴなどのプラスチックテープベースに塗布すれば宜しいことになる。
こう言う発想をする切っ掛けとなったのは、「万有百科大事典・科学技術、２４０頁Ｂ（磁石鋼）に「１９３０年（昭和５）加藤与五郎、武井武の開発したＯＰ磁石以来の粉末磁石があるが、これら粉末磁石は磁石鋼とは言わない」を発見したことにある。
これら粉末磁石はどう言う物なのか、今詳しく調べている暇が無いので、正確なことは言えないが、この粉末磁石化磁性材料を用いてもその粉末の程度如何では永久磁石化材テープが開発できると考えられる。
そうこう考えている内に、炭素は、私が発見している「電磁波吸収性元素族である元素短周期周期表における第４族のＣ、Ｓｉ、Ｔｉ、Ｇｅ、Ｚｒ、Ｓｎ、Ｈｆ、Ｐｂの中の一であることに気づいた。鉄に炭素を含ませれば、硬磁性体と成るのであるから、Ｃに代えて、ＳｉやＴｉやＧｅやＺｒやＳｎやＨｆやＰｂを単独で或いは複数かで含ませれば、炭素鋼磁石に代わる例えば珪素鋼磁石やチタン鋼磁石や錫鋼磁石や鉛鋼磁石などと言う物が開発できるのでは無いかと考えた。
勿論、この電磁波吸収性元素族ではＣが最も長い波長にＰｂが最も短い波長に対応する。従って、炭素鋼テープが対応できる周波数帯にはチタン鋼テープは対応できないのであろうが。
この前も、私は気づいて話したのであるが、私の子供時代の真空管ラジオでは、６０サイクル／秒の電源トランスには鉄芯を使用するが、１０７１ｋＨｚの受信コイルには鉄芯は使用しない。これは一時磁石に属する現象であるが、「このように扱う周波数によって磁性材料と言う物は違えなくてはならないのではなかろうか」と。
上述のスチールテープ（炭素鋼テープ）では、あるいは高周波や超高周波では磁気記録は出来ないのではあるまいか。従って、この場合高周波や超高周波に対応できるチタン鋼テープとか錫鋼テープとかを使用するか、或いはその高周波や兆高周波を低周波に変えて磁気記録させる必要があるのではなかろうか。従来のオーディオやビデオのテープレコーダーではこの点も気づかないでいたと言えるのではあるまいか。
とすれば、それら電磁波吸収性元素を含む鋼の中では、その適応周波数領域は炭素鋼テープ最も低く、次に珪素鋼テープ、その次にチタン鋼テープ、殿に鉛鋼テープが最も高い周波数に対応することになって磁気録音を全周波数領域に可能とすると言えるのではあるまいか。
冒頭で少し触れたが、磁気録音と言われて来たものは、１８８８年にＯｂｅｒｌｉｎ  Ｓｍｉｔｈによってアイディアが発表され、実際に録音機を発明したのは、デンマークのＶａｌｅｍａｒ  Ｐｏｕｌｓｅｎである（１８９８年）。これは記録体に鋼線を用いており、当時はまだ真空管が発明されておらず、性能的には幼稚な物であったが、テレグラホンと言う名で１９００年のパリ博覧会に出品されて大いに人気を博したそうである。
しかし、磁気録音機が実用化されたのは、真空管が実用化された１９３０年代であり、録音体としてドイツのテレフォンケン社は鋼線を又ドイツのローレンツ社やイギリスのマルコニー社は鋼帯を使用していたと言う。
しかし、鋼帯を極薄にすることは当時は不可能であったらしく、広範な実用に耐えるには現在のような紙やプラスチックのテープを必要とした。しかし、これに用いた磁性体は鉄粉であるとある。そして、その鉄粉テープをアメリカの３Ｍ社がスコッチのブランド銘で売り出したとある（万有百科大事典・科学技術、６６５頁（磁気録音））。どうも、ここらから磁気録音と言う物が怪しくなったらしい。それは、鋼紛と言う物が開発できなかったからであろう。
上記の私のスチールテープは私が誕生した頃の鋼帯とは本質的に異なっていると言っても過言ではあるまい。つまり、極めて薄くしてその当時には不可能であった巻き取りの可能なステンレスである。上述したように、録音周波数を好くマッチングさせてやれば必ずや人類的期待に応え得るに違いない。
それでも、尚プラスチックテープのような柔軟性が出せれば好い。今後はどんな金属元素を含有させればそれが可能と成るかをテーマとしたい。
なお、炭素鋼以外の電磁波吸収性元素を含有した鉄を「磁鉄」（ｅｌｅｃｔｍａｇｗａｖｅａｂｓｏｒｂｉｎｇｉｒｏｎ略してｅｌｅｃｔｍａｇｉｒｏｎと呼ぶことにする）のｍａｇｎｅｔｉｃｔａｐｅ即ちマグテープも色々とその可能性を研究して見たい。行けるとなれば、それらの適応周波数領域を突き止めたい。
同様な目的と適応範囲にあり、プラスチックベースのテーブとして考え出した録音テープが酸化鉄の微粉末に炭素以外の電磁波吸収性元素酸化物の微粉末を添加混合して塗布したプラスチックテープである。鋼粉テープと言う物が存在したことがなかったので、その性能を類推することさえ出来ないが、ｍａｇｎｅｔｉｃ  ｉｒｏｎ  ｔａｐｅ略してｍａｇｉｒｏｎｔａｐｅと呼ぶべき、これらテープの適応周波数にレコーダーを適合させれば、立派な磁気録音テープとしてその目的を成就しうるのでは無いかと思われる。
ここに、それら発明を出願する所以である。
磁気録音と言うものは説かれている本質すなわち「音声の強弱高低を磁気量の変化として記録する」ものであるが、その磁気量の変化の中に「音色」の違いをも忠実に記録再生できるものなのかどうか今の所断定できる研究が無い。
テープレコーダーの磁気ヘッドの極狭間隙ギャップをどのくらいにすれば、記録再生が支障無く出来るのか私は知らないが、最小限の間隔はある筈である。
人間の聴覚で知覚できる音の範囲は１６〜２００００Ｈｚと言われている。しかし、音楽や音声を録音する場合には、そのように高い音を録音できるようにする必要はない。楽器の周波数は３０〜４０００Ｈｚ、声楽は８０〜１０００Ｈｚと言われている（要訣物理、２６１頁（音の高さ＝調子）、文英堂）。
従って、会話や音楽を録音するには、３０〜４０００Ｈｚの範囲の記録再生能力があれば宜しいことになる。また、クラシックは聴かず、もっぱら歌謡曲を聴く人たちには３０〜１５００Ｈｚくらいの範囲のもので十分と言うことになる。
ところで、テープレコーダーのヘッドのギァップは１．５〜２μｍであると言われている（現代商品大辞典・新商品版、８１７頁（テープレコーダ））。これは、恐らく期待値であろう。最高２００００Ｈｚでテープ速度を計算して見ると、２μｍ（２０００ｍｍ／１００００００）÷１ｓ／４００００＝８０ｍｍ／ｓと成るからである。
今、私の唱道する１５００Ｈｚを最高とする歌謡曲用の場合には、実用的なヘッドギァップを１ｍｍ／１００とするならば、そのぎりぎりのテープ速度は、１ｍｍ／１００÷１ｓ／３０００＝３０ｍｍ／ｓとなる。音を良くする即ち「音色」をクッキリとする為に５倍の長さを必要とするとすれば、そのテープ速度は１５０ｍｍ／ｓとなる。
クラシック用では１５０ｍｍ／ｓ×４０００Ｈｚ÷１５００Ｈｚ＝４００ｍｍ／ｓとなる。
従来の怪しき鉄紛テープでは、オープンリールのレコード製作用は、３８０ｍｍ／ｓと言われ、ハイファイデッキ用で９５ｍｍ／ｓと言われていた。また、カーステレオ用のエンドレスカートリッジでも９５ｍｍ／ｓと言われていた（同上版、同頁（テープレコーダーの種類））。
この従来のカートリッジ用のヘッドギャップは、９５ｍｍ／ｓ＝Ｘ÷１ｓ／３０００、即ち０．０３２ｍｍとなる。「音色」をくっきりする為にテープ速度を５倍に上げたと同じことになるギャップ間隔は０．０３２ｍｍ÷５＝０．００６４ｍｍとなる。少しきつい値である。３倍に抑えて見ると０．０３２ｍｍ÷３＝０．０１１ｍｍとなり、工作が大変楽になると友にパワーが向上し再生アンプの設計が大幅に楽になる。
クラシック用は、この場合、テープ速度を９５ｍｍ／ｓ×４０００Ｈｚ／１５００Ｈｚ＝２５４ｍｍ／ｓにする以外に無い。
なお、従来、テープの厚さ１２．５μｍならば、カセットでは１３２ｍ入ると言う。テープ速度９５ｍｍ／ｓならば、１３２ｍ×１０００ｍｍ／ｍ÷９５ｍｍ／ｓ＝１３８９ｓ＝２３分の往復録音再生時間となる。歌謡曲なら４曲しか入らない。
そこで、テープ速度を９０ｍｍ／ｓとして見ると、１３２０００ｍｍ÷９０ｍｍ／ｓ＝１４６７ｓ＝２４．４分片道１２．２分、従って平均４分の曲が片道３曲往復６曲ぴったり入ることになる。この場合のギャップ間隔は９０ｍｍ／ｓ＝Ｘ×３÷１ｓ／３０００ｑｎ、０．０１ｍｍとなる。クラシック用ではテープ速度を９０ｍｍ／ｓ×４０００／１５００＝２４０ｍｍ／ｓとしなくてはならない。
誰に遠慮することなく繰り返し楽しめるので、カセットを１本求めれば、３日や４日は楽しめることになろう。勿論、徐々に貯まってくるので、１週間に１本くらい求めることになろうか。
我国には、７０００万台の自動車がある。全てが求めれば、１週間に７０００万本、１本１５００円ならば１０５０億円、１年では３６億４０００万本５兆４６００億円の売上となる。歌謡曲関係者には前代未聞の偉大なる夢を描いて貰えよう。
しかし、これで本当に小林旭や小林幸子の肉声に再生可能であるか、実験して見ていないので不安である。
その対策案として、私は、記録方式を横並び型から縦並び型に替えて見る提案（「イリドスミン溶着極細先端縦型磁気ヘッドテープレコーダー（特２００４−１６６３９９）」）もしている。
今後、本発明の永久磁化性テープ略してマグスチールテープおよびマグテープと呼んでその録音の可能性を初歩から研究したいしして貰い如何にくっきりと音色再現できるかを補正回路の開発をも含めて突き止めたいと思っている。
今日までの同和時代ではそれぞれの人たちが闘争関係に仕組まれて落ち着いて生活できずあらゆる面での遣り取りに文字を使用する能力を落として仕舞った。個人的に簡単な録音再生機が無いと本当に交渉ごとに不便であろう。また、７０００万台からの自動車の普及状態であるが、カーステレオではテープに優る録音媒体は無いので、是非、この人類的要望に応えるべく電波のお世話に絶対にならないマグスチールテープやマグテープのカーステレオの開発に是非とも挑戦してみたいし挑戦して貰いたい。
しかし、これらに関する開発費用は小規模な額では無いので、政府は是非私の電磁波出演に対して出演料をその開発資金などとすべく支払ってほしい。私の出演はどうも全世界に及んでいるように思われる。私の２４時間の毎日の在り方を拒否しなく覗かされていて広範な知識を勉強できている人たちは、是非一日一円を政府を代表にして支払って欲しい。１億２５００万人の日本では一日１億２５００万円を支払って貰うことになる。但し税金にその７０％の８７５０万円を取られるので、私の手取りは３７５０万円である。
必ずや、私の新生日本を拓く各方面に亘る発明に対して優秀な開発成果を挙げ国民の皆さんと世界の皆さんに安定した働き甲斐のある仕事や職を提供出来うると自負する所大いなるものがある。